【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
不均一な前面および少なくともひとつの不均一なエッジ有するコンクリートブロックを、コンクリートのワークから製造する方法であって、
a) (i) 第一の分割装置の駆動中に前記ワークに分割力を加えて前記ワークを少なくとも２片に分割しそのうち少なくとも１片が前記不均一な前面を有するコンクリートブロックとなるように第一のブレードホルダ上に配置された第一の分割ブレードと、
(ii) 前記第一の分割ブレードから、製造されるブロックの隣接面の一部を横切るように、前記ブレードの駆動中の移動方向に対して鋭角をなして延在する、前記第一のブレードホルダにより提供される第一の係合面と、
(iii) 分割動作中に前記製造されるコンクリートブロックの前面に隣接する前記ワークの一面に食い込んで前記製造されるコンクリートブロックの前面に隣接する前記コンクリートの部分を破砕し不均一なエッジを生成するように配置された、前記第一の係合面上の複数の突起部と、
を有する第一の分割装置を含むブロック分割器を用意し、
b) 前記ブロック分割器に、前記第一の分割装置が駆動されると前記第一の分割装置が食い込むことができるように、ワークを配置し、
c) 前記第一の分割ブレードが前記ワークを少なくとも２片に分割し、前記突起部が前記製造されるコンクリートブロックの前面に隣接する前記ワークの面に食い込むように、前記第一の分割装置を駆動することを特徴とする方法。
【請求項２】
前記第一の分割装置に、前記第一の分割ブレードから、製造される対向する一対のブロックの隣接面の部分を横切るように、前記第一の分割ブレードの駆動中の移動方向に対して鋭角をなして延在する第一の係合面を備え、
前記第一の係合面それぞれの、前記製造される一対のブロックの前面に隣接する前記ワークの面に食い込む位置に配置された複数の突起部を備える
ことを特徴とする、請求項１に記載の方法。
【請求項３】
前記第一の分割装置に対向した第二の分割装置であって、該第二の分割装置の駆動中に前記ワークを少なくとも２片に分割するための分割力を前記ワークに加えるように第二のブレードホルダ上に配置された第二の分割ブレードを含むとともに、前記第二の分割ブレードから、製造されるブロックの隣接面の一部を横切るように、前記ブレードの駆動中の移動方向に対して鋭角をなして延在する、前記第二のブレードホルダにより提供される第二の係合面と、分割動作中に前記製造されるコンクリートブロックの前面に隣接する前記ワークの一面に食い込んで前記製造されるコンクリートブロックの前面に隣接する前記コンクリートの部分を破砕し第二の不均一なエッジを生成するように前記第二の係合面上に配置された複数の突起部と、を有する、第二の分割装置を用意するステップと、
前記第一の分割ブレードおよび第二の分割ブレードが前記コンクリートのワークに接近し打擲してそのワークを少なくとも２つに分割し、前記第一および第二の複数の突起部が前記分割動作中に前記製造されるコンクリートブロックの前面に隣接するそれぞれのワークの面に食い込むことで、前記第一の不均一なエッジおよび第二の不均一なエッジを生成するように、前記対向する第一の分割装置および第二の分割装置を駆動するステップと、
をさらに有する請求項１に記載の方法。
【請求項４】
前記第二の分割装置に、前記第二の分割ブレードから、製造される対向する一対のブロックの隣接面の部分を横切るように、前記第二の分割ブレードの駆動中の移動方向に対して鋭角をなして延在する第二の係合面を備え、
前記第二の分割ブレードに隣接した第二の係合面それぞれの、前記製造される一対のブロックの前面に隣接する前記ワークの面に食い込む位置に配置された複数の突起部を備える
ことを特徴とする、請求項３に記載の方法。
【請求項５】
前記第二の分割装置は、前記第二の分割ブレードの両側の、前記第二の分割ブレードから前記第二の係合面よりも離れた位置にショルダ部を備え、該ショルダ部は、その表面の、前記分割動作中に前記ワークに食い込むような位置に、複数の突起部を備えることを特徴とする、請求項３または請求項４に記載の方法。
【請求項６】
前記ショルダ部が前記ブレードの移動方向に対し垂直に延在する面を有することを特徴とする、請求項５に記載の方法。
【請求項７】
前記係合面が、好ましくは水平に対して０度と３０度の間の角度をなすことを特徴とする、請求項１ないし請求項６のいずれか一項に記載の方法。
【請求項８】
第一の分割装置を有するブロック分割器であって、該第一の分割装置は、第一のブレードホルダ上に第一の分割ブレードを有し、該第一の分割ブレードは前記第一の分割装置の駆動中にコンクリートのワークを分割して不均一な前面を有するコンクリートブロックを製造するためにそのワークに分割力を加えるよう構成および配置され、
前記第一のブレードホルダは、
前記第一の分割ブレードから、製造されるブロックの隣接面の一部を横切るように、前記第一の分割ブレードの移動方向に対して鋭角をなして延在する第一の係合面と、
前記分割装置の駆動中に前記製造されるコンクリートブロックの前面に隣接する前記ワークの一面に食い込んで前記製造されるコンクリートブロックの前面に隣接する前記コンクリートの部分を破砕し第一の不均一なエッジを生成するように構成および配置され、前記第一の係合面上の前記分割ブレードに隣接する位置に配置された複数の突起部と、
を備える
ことを特徴とする、ブロック分割器。
【請求項９】
前記第一の分割ブレードから、製造される対向する一対のブロックの隣接面の部分を横切るように、前記第一の分割ブレードの移動方向に対して鋭角をなして延在する第一の係合面と、
前記第一の係合面それぞれの、前記第一の分割ブレードに隣接する位置に、前記製造される一対のブロックの前面に隣接する前記ワークの面に食い込むように配置した複数の突起部と、
をさらに備えることを特徴とする、請求項８に記載のブロック分割器。
【請求項１０】
前記分割器は前記第一の分割装置に対向した第二の分割装置を含み、該第二の分割装置は第二のブレードホルダ上に設けられた第二の分割ブレードを含み、該第二の分割ブレードは、前記ワークを分割して前記不均一な前面を有する前記コンクリートブロックを製造するため、前記ワークに分割力を加えるように配置され、
前記第二のブレードホルダは、
前記第二の分割ブレードから、前記製造されるブロックの隣接面の一部を横切るように、前記第二の分割ブレードの移動方向に対して鋭角をなして延在する第二の係合面と、
前記分割動作中に前記製造されるコンクリートブロックの前面に隣接する前記ワークの一面に食い込んで前記製造されるコンクリートブロックの前面に隣接する前記コンクリートの部分を破砕し第二の不均一なエッジを生成するように構成および配置された前記第二の係合面上の複数の突起部と、
を有する
ことを特徴とする、請求項８に記載のブロック分割器。
【請求項１１】
前記第二の分割ブレードから、製造される対向する一対のブロックの隣接面の部分を横切るように、前記第二の分割ブレードの移動方向に対して鋭角をなして延在する第二の係合面と、
前記第二の分割ブレードに隣接した第二の係合面それぞれの、前記製造される一対のブロックの前面に隣接する前記ワークの面に食い込む位置に配置された複数の突起部と、
をさらに備える、請求項１０に記載のブロック分割器。
【請求項１２】
前記第二の分割装置は、前記第二の分割ブレードの両側の、前記第二の分割ブレードから前記第二の係合面よりも離れた位置にショルダ部を備え、該ショルダ部は、複数の突起部を備えることを特徴とする、請求項１０または請求項１１に記載のブロック分割器。
【請求項１３】
前記ショルダ部が前記ブレードの移動方向に対し垂直に延在する面を有することを特徴とする、請求項１２に記載のブロック分割器。
【請求項１４】
前記ショルダ部上の突起部は、前記ショルダ部に対して垂直に延在し、前記第二の係合面上の突起部は、その第二の係合面に対して垂直に延在することを特徴とする、請求項１２または請求項１３に記載のブロック分割器。
【請求項１５】
前記係合面が、好ましくは水平に対して０度と３０度の間の角度をなすことを特徴とする、請求項８ないし請求項１５のいずれか一項に記載のブロック分割器。
【請求項１６】
コンクリートのワークを分割するブロック分割器で使用される分割装置であって、
ブレードホルダ上に分割ブレードを備え、該分割ブレードは前記分割装置の駆動中に前記ワークを分割して不均一な前面を有するコンクリートブロックを製造するためにそのワークに分割力を加えるよう構成および配置され、
前記ブレードホルダは、
前記分割ブレードから、前記製造されるブロックの隣接面の一部を横切るように、前記ブレードの移動方向に対して鋭角をなして延在する係合面と、
前記分割装置の駆動中に前記製造されるコンクリートブロックの前面に隣接する前記ワークの一面に食い込んで前記製造されるコンクリートブロックの前面に隣接する前記コンクリートの部分を破砕し第一の不均一なエッジを生成するように構成および配置され、前記係合面上の前記分割ブレードに隣接する位置に配された複数の突起部と、
を備える
ことを特徴とする分割装置。
【請求項１７】
前記分割ブレードから、製造される対向する一対のブロックの隣接面の部分を横切るように、前記ブレードの移動方向に対して鋭角をなして延在する係合面と、
前記係合面それぞれの、前記分割ブレードに隣接する位置に、前記製造される一対のブロックの前面に隣接する前記ワークの面に食い込むように配置された複数の突起部と、
を備えることを特徴とする、請求項１６に記載の分割装置。
【請求項１８】
前記係合面が、好ましくは水平に対して０度と３０度の間の角度をなすことを特徴とする、請求項１６または請求項１７に記載の分割装置。
【請求項１９】
前記分割装置は、前記分割ブレードの両側の、前記分割ブレードから前記係合面よりも離れた位置にショルダ部を備え、該ショルダ部は、複数の突起部を備えることを特徴とする、請求項１６ないし請求項１８のいずれか一項に記載の分割装置。
【請求項２０】
前記ショルダ部が前記ブレードの移動方向に対し垂直に延在する面を有することを特徴とする、請求項１９に記載の分割装置。
【請求項２１】
前記ショルダ部上の突起部は、前記ショルダ部に対して垂直に延在し、前記係合面上の突起部は、その係合面に対して垂直に延在することを特徴とする、請求項１９または請求項２０に記載の分割装置。